(57)【要約】【課題】透光性基板の上面に着色層があっても、視認性が低下しにくい表示板を提供する。【解決手段】  透光性の基材１１と、基材１１の下面側に開口部１２１を有した光反射層１２と、基材１１の上面側に開口部１２１に対応した着色層１３と、基材１１の上面側に着色層１３の周辺を覆うコート層１４と、を形成する表示板において、着色層１３は、着色層１３を縁取りする遮光層１５が形成され、着色層１３のうち遮光層１５によって覆われない指標部１３１を備え、開口部１２１を形成する光反射層１２の端面１２１ａは、遮光層１５を上面から見た状態で、指標部１３１を形成する遮光層１５の端面１５１ａと、遮光層１５の外周を形成する端面１５ａとの間に位置するように形成されている。【選択図】図２
2017138211.tif 000002
【特許請求の範囲】
【請求項１】
透光性の基材と、前記基材の下面側に開口部を有した光反射層と、前記基材の上面側に前記開口部に対応した着色層と、前記基材の上面側に前記着色層の周辺を覆うコート層と、を形成する表示板において、
前記着色層は、前記着色層を縁取りする遮光層が積層され、前記着色層のうち前記遮光層によって覆われない指標部を備え、
前記開口部を形成する前記光反射層の端面は、前記遮光層を上面から見た状態で、前記指標部を形成する前記遮光層の端面と、前記遮光層の外周を形成する端面との間に位置するように形成されていることを特徴とする表示板。
【発明の詳細な説明】
【技術分野】
【０００１】
本発明は、表示板に関する。
【背景技術】
【０００２】
従来の表示板は、透光性基板と、この透光性基板の下面に形成された着色層と背景層とによって構成され、透光性基板の上面はヘアラインが形成され、着色層と背景層は、透光性基板に印刷やホットスタンプ等により形成される。
【先行技術文献】
【特許文献】
【０００３】
【特許文献１】特開２００６−１１３０４５号公報
【発明の概要】
【発明が解決しようとする課題】
【０００４】
ところが、特許文献１に記載の表示板では、透光性基板の下面に着色層（指標部など）が形成されているため、透光性基板を通して着色層を見ることとなり、境界線がはっきりと視認しづらいという問題点があった。そこで、透光性基板の上面に着色層を形成する構成が考えられるが、ヘアラインとの境界がぼやけてしまい、視認性が下がってしまう。
【０００５】
そこで、本発明は、透光性基板の上面に着色層があっても、視認性が低下しにくい表示板を提供することを目的とする。
【課題を解決するための手段】
【０００６】
上記目的を達成するために、本発明は、透光性の基材と、前記基材の下面側に開口部を有した光反射層と、前記基材の上面側に前記開口部に対応した着色層と、前記基材の上面側に前記着色層の周辺を覆うコート層と、を形成する表示板において、前記着色層は、前記着色層を縁取りする遮光層が積層され、前記着色層のうち前記遮光層によって覆われない指標部を備え、前記開口部を形成する前記光反射層の端面は、前記遮光層を上面から見た状態で、前記指標部を形成する前記遮光層の端面と、前記遮光層の外周を形成する端面との間に位置するように形成されているものである。
【発明の効果】
【０００７】
本発明によれば、透光性基板の上面に着色層があっても、視認性が低下しにくい表示板を提供することができる。
【図面の簡単な説明】
【０００８】
【図１】本発明の表示板の正面図である。
【図２】本発明の表示板の一部拡大図である。
【図３】本発明の表示板の一部をさらに拡大した断面図である。
【発明を実施するための形態】
【０００９】
表示板１０は、透光性を有する基材１１と、この基材１１の下面に形成された光反射層１２と、基材１１の上面に形成された着色層１３と、着色層１３と同一面上に形成されたコート層１４と、着色層１３とコート層１４との境界を覆うように形成された遮光層１５と、からなる。
【００１０】
本実施形態では、図示しない光源の光が基材１１を透過することによって、図１に示す目盛や数字などが透過照明される。
【００１１】
基材１１の素材には、例えば、ガラスやポリカーボネート樹脂等が採用される。
【００１２】
光反射層１２は、基材１１の下面に形成され、基材１１の上方から照射された外光を反射させるための層である。光反射層１２は、メタリック印刷、ミラー印刷、ハーフミラー印刷などの手法によって構成することができる。
【００１３】
また、光反射層１２は、光源（図示せず）の光が透過する開口部１２１を有している。
【００１４】
開口部１２１は、その両端がほぼ垂直であり、端面１２１ａから形成されている。
【００１５】
着色層１３は、基材１１の上面であって、開口部１２１に対応した箇所に形成されている。着色層１３の一部が遮光層１５によって覆われず露出することで指標や目盛などの指標部１３１が形成される。図２、３に示すように、開口部１２１は、指標部１３１よりも幅広となっており、開口部１２１から入射した光源の光が指標部１３１を透過する。
【００１６】
コート層１４は、基材１１上面の着色層１３を除いた同一面に形成されている。なお、コート層１４は、基材１１の上面にベタ印刷によって設けられていてもよいし、ヘアラインが形成されるように印刷されていてもよい。コート層１４は、図２、３に示すように、着色層１３の端面１３ａを覆うように形成されている。
【００１７】
また、コート層１４と着色層１３の端面１３ａが隣り合う境目には、遮光層１５が形成されている。遮光層１５は、基材１１の上面に形成された着色層１３とコート層１４と境目を覆うように形成されている。遮光層１５は、指標部１３１を形成する端面１５１ａと、コート層１４と面する端面１５ａとを有している。
【００１８】
開口部１２１を形成する光反射層１２の端面１２１ａは、遮光層１５を上面から見た状態で、指標部１３１を形成する遮光層１５の端面１５１ａと、遮光層１５の外周を形成する端面１５ａとの間に位置するように形成されている。
【００１９】
光源の光が出射すると、基材１１の裏面側の開口部１２１と基材１１を通過し、着色層１３の指標部１３１から出射することで、指標部１３１が透過照明される。遮光層１５は、着色層１３の端面１３ａを覆うとともに、基材１１の下面に形成された開口部１２１も正面視で隠れるように端面１２１ａを覆っている。
【００２０】
このように、本発明は、透光性の基材１１と、基材１１の下面側に開口部１２１を有した光反射層１２と、基材１１の上面側に開口部１２１に対応した着色層１３と、基材１１の上面側に着色層１３の周辺を覆うコート層１４と、を形成する表示板において、着色層１３は、着色層１３を縁取りする遮光層１５が形成され、着色層１３のうち遮光層１５によって覆われない指標部１３１を備え、開口部１２１を形成する光反射層１２の端面１２１ａは、遮光層１５を上面から見た状態で、指標部１３１を形成する遮光層１５の端面１５１ａと、遮光層１５の外周を形成する端面１５ａとの間に位置するように形成されていることによって、光透過性の基材１１の上面に着色層１３が形成され、下面に光反射層１２が形成されていても、着色層１３周囲が遮光層１５で覆われていることで、基材１１の下面側に形成された光反射層１２を背景にして指標部１３１を見た場合であっても、基材１１の影響を受けずにくっきりとした線として視認することができる。
【符号の説明】
【００２１】
１０      表示板
１１      基材
１２      光反射層
１３      着色層
１４      コート層
１５      遮光層
１２１    開口部
１３１    指標部
【図１】
2017138211.tif 000003
【図２】
2017138211.tif 000004
【図３】
2017138211.tif 000005